(57)【要約】【課題】  従来の番組再生装置は、大量の録画済み番組を、ユーザの視聴可能な時間が限られている場合においても、ユーザが好きな番組又は話題性が高い番組の再生を自動的に行うことができず、また、適切な順序で番組を再生することができるとは限らなかった。【解決手段】  本発明に係る番組再生装置は、録画又は録音された、視聴すべき第１の複数の番組の各々が有する、一以上の特徴により規定される優先度に基き、前記第１の複数の番組のうち、決められた時間枠内に視聴完了可能な一以上の番組を選択する選択部と、前記選択部により選択された前記一以上の番組を再生する再生部とを含む。【選択図】  図１
2006165728.tif 000002
【特許請求の範囲】
【請求項１】
録画又は録音された、視聴すべき第１の複数の番組の各々が有する、一以上の特徴により規定される優先度に基き、前記第１の複数の番組のうち、決められた時間枠内に視聴する一以上の番組を選択する選択部と、
前記選択部により選択された前記一以上の番組を再生する再生部とを含むことを特徴とする番組再生装置。
【請求項２】
前記優先度を、前記一以上の特徴を数値で示す優先度関数を用いて算出する算出部を更に含むことを特徴とする請求項１記載の番組再生装置。
【請求項３】
前記一以上の特徴を指定するための指定部を更に含むことを特徴とする請求項１記載の番組再生装置。
【請求項４】
特徴を数値で示す優先度関数を指定するための指定部を更に含むことを特徴とする請求項１記載の番組再生装置。
【請求項５】
前記時間枠を規定する、視聴の開始予定時刻及び視聴の終了予定時刻間に、視聴必要度を有する第２の番組が公衆送信されるとき、前記選択部は、当該第２の番組を即時的に視聴するように前記第２の番組を選択することを特徴とする請求項１記載の番組再生装置。
【請求項６】
前記第１の複数の番組を受信し、かつ、当該第１の複数の番組と共に又は別個に前記一以上の特徴を表すデータを受信する受信部を更に含むことを特徴とする請求項１記載の番組再生装置。
【請求項７】
前記一以上の特徴は、前記各番組の録画又は録音時間、前記時間枠を超える分の番組の録画又は録音時間、前記番組間での連続の程度、視聴者の嗜好性のうちの一つ以上により規定されることを特徴とする請求項１記載の番組再生装置。
【請求項８】
録画又は録音された、視聴すべき第１の複数の番組の各々が有する、一以上の特徴により規定される優先度に基き、前記第１の複数の番組のうち、決められた時間枠内に視聴する一以上の番組を選択する選択工程と、
前記選択工程により選択された前記一以上の番組を再生する再生工程とを含むことを特徴とする番組再生方法。
【請求項９】
コンピュータとして機能する選択部及び再生部が協働して番組を再生する番組再生装置に前記番組を再生させる番組再生プログラムであって、
前記選択部に、録画又は録音された、視聴すべき第１の複数の番組の各々が有する、一以上の特徴により規定される優先度に基き、前記第１の複数の番組のうち、決められた時間枠内に視聴可能な一以上の番組を選択させる選択工程と、
前記再生部に、前記選択工程により選択された前記一以上の番組を再生させる再生工程とを含むことを特徴とする番組再生プログラム。
【発明の詳細な説明】
【技術分野】
【０００１】
本発明は、無線放送、有線放送、コンピュータネットワーク等の公衆通信を経て受信され、録画又は録音されるテレビ番組及びラジオ番組等を再生する番組再生装置に関する。
【背景技術】
【０００２】
例えば、ＨＤＤ及びＤＶＤ等の大容量の記憶媒体を有する上記した番組再生装置は、多数のテレビ番組をユーザ指定の録画予約により録画しておき、その後で、ユーザの指示に従って、前記録画された多数のテレビ番組を、例えば、ユーザが好む番組ほど又は話題性が高い番組ほど優先的に再生し、又は、下記の特許文献１に記載のように、前記録画された多数のテレビ番組のうち、ユーザが予め選択しかつ再生の順番を指定したいくつかの番組を当該順番に従って再生する。
【０００３】
一般に、ユーザは、視聴可能な時間を勘案し、かつ自分の嗜好やそれまでの視聴履歴、例えば連続番組の続き、あるいはできるだけ長い番組を視聴したい、あるいは逆にできるだけ多数の番組を見ておきたいなどの選択基準に基づいて、視聴する番組を選択する。
【０００４】
【特許文献１】特開２００２−１７１４６７号公報
【発明の開示】
【発明が解決しようとする課題】
【０００５】
しかしながら、近年のようにＨＤＤやＤＶＤなど大容量の記憶装置を備えるようになると、前記した従来の番組再生装置では、記録された多数の番組を上記選択基準で自ら選択することが甚だ困難になるという課題があった。
【課題を解決するための手段】
【０００６】
本発明に係る番組再生装置は、上記した課題を解決すべく、録画又は録音された、視聴すべき第１の複数の番組の各々が有する、一以上の特徴により規定される優先度に基き、前記第１の複数の番組のうち、決められた時間枠内に視聴完了可能な一以上の番組を選択する選択部と、前記選択部により選択された前記一以上の番組を再生する再生部とを含む。
【０００７】
本発明に係る番組再生装置によれば、前記選択部が、前記各番組の特徴により規定される優先度の大きさの順序に従って、前記時間枠内に視聴完了可能な前記一以上の番組を選択し、前記再生部が、当該一以上の番組を再生することから、ユーザは、当該ユーザが好む順序に従って、前記一以上の番組を順次視聴することが可能となる。
【０００８】
上記した本発明に係る番組再生装置は、前記優先度を、前記一以上の特徴を数値で示す優先度関数を用いて算出する算出部を更に含む。
【０００９】
上記した本発明に係る番組再生装置は、前記一以上の特徴を指定するための指定部を更に含む。
【００１０】
上記した本発明に係る番組再生装置は、特徴を数値で示す優先度関数を指定するための指定部を更に含む。
【００１１】
上記した本発明に係る番組再生装置では、前記時間枠を規定する、視聴の開始予定時刻及び視聴の終了予定時刻間に、視聴必要度を有する第２の番組が公衆送信されるとき、前記選択部は、当該第２の番組を即時的に視聴可能なように前記第２の番組を選択する。
【００１２】
上記した本発明に係る番組再生装置は、前記第１の複数の番組を受信し、かつ、当該第１の複数の番組と共に又は別個に前記一以上の特徴を表すデータを受信する受信部を更に含む。
【００１３】
上記した本発明に係る番組再生装置では、前記一以上の特徴は、前記各番組の録画又は録音時間、前記時間枠を超える分の番組の録画又は録音時間、前記番組間での連続の程度、視聴者の嗜好性のうちの一つ以上により規定される。
【００１４】
本発明に係る番組再生方法は、録画又は録音された、視聴すべき第１の複数の番組の各々が有する、一以上の特徴により規定される優先度に基き、前記第１の複数の番組のうち、決められた時間枠内に視聴完了可能な一以上の番組を選択する選択工程と、前記選択工程により選択された前記一以上の番組を再生する再生工程とを含む。
【００１５】
本発明に係る番組再生プログラムは、コンピュータとして機能する選択部及び再生部が協働して番組を再生する番組再生装置に前記番組を再生させる番組再生プログラムであって、前記選択部に、録画又は録音された、視聴すべき第１の複数の番組の各々が有する、一以上の特徴により規定される優先度に基き、前記第１の複数の番組のうち、視聴者が指定した時間枠内に視聴可能な一以上の番組を選択させる選択工程と、前記再生部に、前記選択工程により選択された前記一以上の番組を再生させる再生工程とを含むことを特徴とする番組再生プログラム。
【発明を実施するための最良の形態】
【００１６】
本発明に係る番組再生装置の実施例について図面を参照して説明する。
【実施例１】
【００１７】
図１は、実施例の番組再生装置の構成を示す。実施例の番組再生装置１００は、有線通信、無線通信、インターネット通信等のように公衆送信されるテレビ番組及びラジオ番組のような番組Ｐ１、Ｐ２、．．．、Ｐｎ（ｎは、正の整数）を受信し記憶し、当該記憶された番組Ｐ１、Ｐ２、．．．、Ｐｎを、当該番組Ｐ１、Ｐ２、．．．、Ｐｎを視聴しようとする視聴者が視聴可能な時間（以下、「時間枠Ｔｆ」という。）内に視聴することができるように支援すべく、図１に示されるように、コンピュータとして動作可能な、受信ユニット１と、入力ユニット２と、処理ユニット３と、記憶ユニット４と、出力ユニット５とを含む。
【００１８】
上記した番組Ｐ１、Ｐ２、．．．、Ｐｎは、より詳細には、テレビ局、ラジオ局、番組サーバ等（いずれも図示せず）から同報送信され又は非同報送信され、例えば、番組Ｐ１は、当該番組Ｐ１の内容を規定する番組データＰＤ１と、当該番組データＰＤ１の書誌的事項及び特徴的事項（番組の放送日時、番組の長さ、番組の概要、番組のジャンル（ニュース、映画、スポーツ、番組の連続性等）を規定する番組メタデータＰＭＤ１とを有する。他の番組Ｐ２、．．．、Ｐｎも、番組Ｐ１と同様な構成を有する。以下、この定義に従って説明する。
【００１９】
受信ユニット１は、受信部１０と、復号部１１とを有する。
【００２０】
受信部１０は、例えば、前記テレビ局、ラジオ局、番組サーバ等から、有線通信、無線通信、インターネット通信経由で、例えば、ＮＴＳＣ、ＰＡＬ、ＡＭ、ＦＭ、ＭＰＥＧ１、ＭＰＥＧ２等の形式に従って構成されている前記番組Ｐ１、Ｐ２、．．．、Ｐｎを受信し、復号部１１は、当該受信された番組Ｐ１、Ｐ２、．．．、Ｐｎに、例えば、圧縮に対応する伸張及び誤り訂正のための復号化処理を施す。
【００２１】
入力ユニット２は、入力部２０と、指定部２１とを有する。
【００２２】
入力部２０は、例えば、リモコン、ボタン、マウス、又はキーボードからなり、視聴者が前記時間枠Ｔｆを入力したり、当該時間枠Ｔｆの開始日時（以下、「開始日時Ｔｓ」という。）及び終了日時（以下、「終了日時Ｔｅ」という。）を入力したりするために用いられる。
【００２３】
指定部２１は、入力部２０と同様に、例えば、リモコン、ボタン、マウス、又はキーボードからなり、視聴者が好みの番組の特徴、例えば、子供好みの番組のジャンルを入力するために用いられる。
【００２４】
処理ユニット３は、受信ユニット１及び入力ユニット２の後段に設けられており、処理部３０と、算出部３１と、選択部３２と、再生部３３とを有する。
【００２５】
処理部３０は、受信ユニット１により受信され復号化された前記番組Ｐ１、Ｐ２、．．．、Ｐｎに含まれる番組データＰＤ１、ＰＤ２、．．．、ＰＤｎ、及び番組メタデータＰＭＤ１、ＰＭＤ２、．．．、ＰＭＤｎを記憶ユニット４に格納する。処理部３０は、また、番組メタデータＰＭＤ１、ＰＭＤ２、．．．、ＰＭＤｎにより特定される番組Ｐ１、Ｐ２、．．．、Ｐｎの優先度関数ＰＦ１（１）〜ＰＦ１（ｍ）、ＰＦ２（１）〜ＰＦ２（ｍ）、．．．、ＰＦｎ（１）〜ＰＦｎ（ｍ）を記憶ユニット４に格納する。
【００２６】
算出部３１は、例えば、番組Ｐ１について、下記の式（１）に示されるように、優先度関数ＰＦ１（ｉ）により定まる、当該番組Ｐ１を選択すべき優先度を表す番組優先度ＰＰ１を算出する。算出部３１は、同様にして、番組Ｐ２、．．．、Ｐｎについて、その番組優先度ＰＰ２、．．．、ＰＰｎを算出する。
【００２７】
【数１】
2006165728.tif 000003
【００２８】
選択部３２は、算出部３１により算出された番組優先度ＰＰ１、ＰＰ２、．．．、ＰＰｎの大きさに従って、番組Ｐ１、Ｐ２、．．．、Ｐｎのうち、前記時間枠Ｔｆ内に視聴完了可能な一つ以上の番組Ｐｘを選択する。
【００２９】
再生部３３は、選択部３２により選択された前記一以上の番組データＰＤｘを出力ユニット５に出力することにより、当該番組データＰＤｘを再生する。
【００３０】
記憶ユニット４は、上記したような優先度関数ＰＦ１（１）〜ＰＦ１（ｍ）、優先度関数ＰＦ２（１）〜ＰＦ２（ｍ）、．．．、優先度関数ＰＦｎ（１）〜ＰＦｎ（ｍ）と、番組データＰＤ１、ＰＤ２、．．．、ＰＤｎと、番組メタデータＰＭＤ１、ＰＭＤ２、．．．、ＰＭＤｎとを記憶し、加えて、前記視聴者が過去に視聴した番組のジャンル及び内容等を表す履歴データＨＤと、受信ユニット１〜出力ユニット５内の各機能部（例えば、処理ユニット３内の処理部３０）に各動作を実行させるためのプログラムＰＲＧとを記憶する（以下の説明では、説明を簡易にするために、ｍ＝４であることを想定する。）。
【００３１】
図２、図３は、番組の録画時間・録音時間と優先度関数との関係、及び、時間枠を超える分の番組の録画時間・録音時間と優先度関数との関係を示す。以下、優先度関数ＰＦ１（１）〜ＰＦ１（４）、ＰＦ２（１）〜ＰＦ２（４）、．．．、ＰＦｎ（１）〜ＰＦｎ（４）について、図２、図３に沿って説明する。
【００３２】
優先度関数ＰＦ１（１）は、図２に示されるように、その値（０より大きく１．０までの範囲内）が、概ね指数関数的かつ正の相関関係に従って、番組Ｐ１の番組録画又は録音時間が長くなるほど大きくなるように規定されている。より詳しくは、番組Ｐ１の録画時間が２時間であるときの優先度関数ＰＦ１（１）の値（例えば、０．８）が、番組Ｐ１の録画時間が３０分であるときの優先度関数ＰＦ１（１）の値（例えば、０．２）より大きくなるように規定されている。他の優先度関数ＰＦ２（１）、．．．、ＰＦｎ（１）も、優先度関数ＰＦ１（１）と同様に略規定されている。
【００３３】
優先度関数ＰＦ１（２）は、図３に示されるように、その値が、概ね指数関数的にかつ負の相関関係に従って、時間枠Ｔｆを超える分の番組Ｐ１の録画時間又は録音時間が長くなるほど小さくなるように規定されている。より詳しくは、時間枠Ｔｆを超える番組Ｐ１の録画時間が１時間３０分であるときの優先度関数ＰＦ１（２）の値（例えば、０．１）が、時間枠Ｔｆを超える番組Ｐ１の録画時間が２０分であるときの優先度関数ＰＦ１（２）の値（例えば、０．７）より小さくなるように規定されている。他の優先度関数ＰＦ２（２）、．．．、ＰＦｎ（２）も、優先度関数ＰＦ１（２）とほぼ同様に規定されている。
【００３４】
優先度関数ＰＦ１（３）は、その値が、番組Ｐ１と当該番組Ｐ１の時間的に前に放送された他の番組Ｐ０（図示せず）との連続の程度が大きいほど大きくなるように規定されている。より詳しくは、番組Ｐ１と番組Ｐ０との連続の程度が大きいとき、即ち、連続番組（各回に一部分を放送して最終的に完成する番組）であるときの優先度関数ＰＦ１（３）の値（例えば、１以上の値）が、番組Ｐ１と番組Ｐ０との連続の程度が小さいとき、即ち、完結番組（各回毎に完結する番組）であるときの優先度関数ＰＦ１（３）の値（例えば、１）より大きくなるように規定されている。他の優先度関数ＰＦ２（３）、．．．、ＰＦｎ（３）も、優先度関数ＰＦ１（３）とほぼ同様に規定されている。
【００３５】
優先度関数ＰＦ１（４）は、その値が、番組Ｐ１の書誌的事項又は特徴的事項であるジャンルと、履歴データＨＤに記録されている、視聴者の過去の番組の嗜好性、即ち、当該視聴者がどのようなジャンル及び内容等の番組を好んで視聴するかという傾向との間の類似度が大きいほど大きくなるように規定されている。より詳しくは、番組Ｐ１のジャンルと視聴者の過去の番組の嗜好性との類似度が大きいときの優先度関数ＰＦ１（４）の値（例えば、１以上の値）が、番組Ｐ１のジャンルと、視聴者の過去の番組の嗜好性との類似度が小さいときの優先度関数ＰＦ１（４）の値（例えば、１）より大きくなるように規定されている。他の優先度関数ＰＦ２（４）、．．．、ＰＦｎ（４）も、優先度関数ＰＦ１（４）とほぼ同様に規定されている。
【００３６】
図１に戻り、出力ユニット５は、画像出力部５０と、音響出力部５１とを有する。
【００３７】
画像出力部５０は、例えば、液晶、ＣＲＴ、有機ＥＬ、プラズマ等からなり、再生部３３により再生される、前記選択部３２により選択された番組データＰＤｘ中の画像を表示する。
【００３８】
音響出力部５１は、例えば、スピーカ、ヘッドフォン等からなり、再生部３３により再生される、前記選択部３２により選択された番組ｘ中の音声、音楽等の音響を出力する。
【００３９】
図４は、実施例の番組再生装置の動作を示すフローチャートである。以下、実施例の番組再生装置の動作を図４のフローチャートに沿って説明する。以下の説明では、ｎ＝６であり（番組Ｐ５、Ｐ６、及びこれらに関連する番組データＰＤ５、ＰＤ６、番組メタデータＰＭＤ５、ＰＭＤ６を図示せず）、番組Ｐ１ａと番組Ｐ１ｂとが連続性を有し、また、説明を簡単にするためにｉ＝１である（番組優先度ＰＰは、一の優先度関数ＰＦにより特定される。）ことを想定する。
【００４０】
ステップＳ１：受信部１０は、テレビ局、ラジオ局、番組サーバ等から、無線通信、有線通信、ネットワーク通信等を経由して、番組Ｐ１ａ、Ｐ１ｂ、Ｐ２、．．．、Ｐ６をこの順序で受信し、復号部１１は、当該番組Ｐ１ａ、Ｐ１ｂ、．．．、Ｐ６に復号化処理を施し、処理部３０は、当該番組Ｐ１ａ、Ｐ１ｂ、．．．、Ｐ６中の番組データＰＤ１ａ、ＰＤ１ｂ、．．．、ＰＤ６、及び番組メタデータＰＭＤ１ａ、ＰＭＤ１ｂ、．．．、ＰＭＤ６を記憶ユニット４に格納する。
【００４１】
ステップＳ２：視聴者は、入力部２０を用いて時間枠Ｔｆを入力する。
【００４２】
ステップＳ３：視聴者は、指定部２１を用いて、図２に図示の優先度関数ＰＦ１（１）と同様な、優先度関数ＰＦ１ａ（１）、優先度関数ＰＦ１ｂ（１）、．．．、優先度関数ＰＦ６（１）を指定する。視聴者は、他の優先度関数を指定しないことから、例えば優先度ＰＰ１ａ＝優先度関数ＰＦ１ａ（１）の関係が成立し、他の優先度及び優先度関数についても同様な関係が成立する。
【００４３】
ステップＳ４：選択部３２は、番組優先度についてＰＰ３＞ＰＰ２＞ＰＰ１ａ＞ＰＰ１ｂ＞ＰＰ４の関係があることから、視聴者によって指定された時間枠Ｔｆ内に視聴を完了することができ、かつ、視聴者の嗜好性に沿うように、図５に示されるように、前記番組Ｐ１ａ、Ｐ１ｂ、．．．、Ｐ６のうち、番組Ｐ３、Ｐ２、Ｐ１ａ、Ｐ１ｂ、Ｐ４を当該順序に選択する。
【００４４】
ステップＳ５：選択部３２は、選択された番組Ｐ３、Ｐ２、Ｐ１ａ、Ｐ１ｂ、Ｐ４からなるリストを作成し、画像出力部５０に表示する。
【００４５】
ステップＳ６：再生部３３は、選択された番組Ｐ３、Ｐ２、Ｐ１ａ、Ｐ１ｂ、Ｐ４について、当該順序に沿ってその画像及び音響を画像出力部５０及び音響出力部５１により再生させる。
【００４６】
上記したように、実施例の番組再生装置１００では、選択部３２が、記憶ユニット４に記憶されている番組データＰ１ａ、Ｐ１ｂ、．．．、Ｐ６のうち、その番組優先度ＰＰ１ａ、ＰＰ１ｂ、．．．、ＰＰ６の大きさに従って、時間枠Ｔｆ内に視聴完了可能な番組Ｐ３、Ｐ２、Ｐ１ａ、Ｐ１ｂ、Ｐ４を選択し、再生部３３が、当該選択された番組Ｐ３、Ｐ２、Ｐ１ａ、Ｐ１ｂ、Ｐ４を当該順序に従って再生することから、視聴者は、時間枠Ｔｆ内に、確実にかつ視聴者の嗜好性を反映して、番組Ｐ３、Ｐ２、Ｐ１ａ、Ｐ１ｂ、Ｐ４の視聴を完了することができる。
【００４７】
実施例の番組再生装置１００では、選択部３２は、優先度関数ＰＦ１ａ（１）、ＰＦ１ｂ（１）、．．．、ＰＦ６（１）により規定される番組優先度ＰＰ１ａ、ＰＰ１ｂ、．．．、ＰＰ６に代えて、図３に図示の優先度関数ＰＦ１（２）のような優先度関数ＰＦ１ａ（２）、ＰＦ１ｂ（２）、．．．、ＰＦ６（２）により規定される番組優先度ＰＰ１ａ、ＰＰ１ｂ、．．．、ＰＰ６に基き、図６に示されるように、番組Ｐ１ａ、Ｐ１ｂ、．．．、Ｐ６から番組Ｐ１ａ、１ｂ、Ｐ４、Ｐ３、Ｐ２を選択することによっても、上記したと同様な効果を得ることができる。
【００４８】
また、番組優先度ＰＰを、一の優先度関数ＰＦにより特定することに代えて、複数の優先度関数ＰＦにより特定することによっても、上記したと同様な効果を得ることが可能である。
【００４９】
実施例の番組再生装置１００では、上記したと同様な、優先度関数ＰＦ１ａ（１）、ＰＦ１ｂ（１）、．．．、ＰＦ６（１）を用いることを前提とする場合であって、視聴者が入力部２０により入力した、図７に図示されたような、前記開始日時Ｔｓ（例えば、○○月□□日△△時）及び前記終了日時Ｔｅ（例えば、○○月□□日▽▽時）間に視聴必要度を有する番組、例えばニュース番組などの実況番組Ｐｒが放送されるときには、選択部３２は、番組優先度ＰＰ３、ＰＰ２、ＰＰ１ａ、．．．、ＰＰ６に基き、図７に示されるように、実況番組Ｐｒの放送開始時刻Ｔｒｓ間に番組Ｐ３を選択する。次に、番組Ｐ３の終了後実況番組Ｐｒの放送開始時刻Ｔｒｓまでに視聴時間枠が変更されたために、再度番組優先度を算出し、番組優先度ＰＰ２，ＰＰ１ａ、、．．．、ＰＰ６に基づき、番組Ｐ２を選択する。実況番組Ｐｒ終了後、番組Ｐ２が終了していないために、番組Ｐ２が再生される。時間枠が変更されたために、再度番組優先度を算出し、番組優先度ＰＰ１ａ、ＰＰ１ｂに基づき、番組Ｐ１ａ、Ｐ１ｂが選択される。これにより、視聴者は、開始日時Ｔｓ及び終了日時Ｔｅにより規定される時間枠Ｔｆ内に、実況番組Ｐｒが放送されるときであっても、上記したと同様に、時間枠Ｔｆ内に番組Ｐ３、Ｐ２、Ｐ１ａ、Ｐ１ｂを視聴を完了することができることに加えて、実況番組Ｐｒの視聴をも行うことができる。
【００５０】
実施例の番組再生装置１００では、受信部１０は、前記番組メタデータＰＭＤ１、ＰＭＤ２、．．．、ＰＭＤｎを、当該番組メタデータＰＭＤ１、ＰＭＤ２、．．．、ＰＭＤｎが番組Ｐ１、Ｐ２、．．．、Ｐｎ中に含まれた状態で受信する。この方式については、例えば、『サーバー型放送における符号化、伝送及び蓄積制御方式（ARIB  SRD-B38  1.1版    社団法人  電波産業会）』に記述されている。
【００５１】
以上に代えて、例えば、番組Ｐ１、Ｐ２、．．．、Ｐｎとは別個にインターネットなどから受信することによっても、上記したと同様な効果を得ることができる。
【００５２】
本発明においては、優先度が高い番組が選択されて再生される。したがって、より優先度が低い番組に与えられる視聴可能な時間は、既に選択された番組の視聴時間より短くなり、優先度が変更される可能性がある。このような場合は、優先度の高い番組を選択した後、選択されていない番組の優先度を、残り視聴時間を用いて算出し直せばよい。
【００５３】
〔変形例１〕
本実施例では、視聴可能時間に応じて増大する優先度関数を用いたが、視聴者がより多くの番組を視聴することを選択する場合は、図８に示すように、視聴可能時間に応じて減少する優先度関数を用いる。
【００５４】
〔変形例２〕
本実施例では、番組優先度関数のみを用いて番組を選択したが、視聴枠内で視聴完了しない番組は選択しないようにしても良い。
【００５５】
〔変形例３〕
本実施例では、選択した番組を自動的に選択したが、番組優先度をもとに視聴者が選択してもよい。
【００５６】
なお、前記変形例によらず、本発明の趣旨を逸脱しない範囲で、他の場合にも応用することは可能である。
【図面の簡単な説明】
【００５７】
【図１】実施例の番組再生装置の構成を示す図。
【図２】番組の録画時間・録音時間と優先度関数との関係を示す図。
【図３】時間枠を超える分の番組の録画時間・録音時間と優先度関数との関係を示す図。
【図４】実施例の番組再生装置の動作を示すフローチャート。
【図５】時間枠と選択された番組との関係を示す図（その１）。
【図６】時間枠と選択された番組との関係を示す図（その２）。
【図７】時間枠と選択された番組との関係を示す図（その３）。
【図８】番組の録画時間・録音時間と優先度関数との他の関係を示す図。
【符号の説明】
【００５８】
１００  番組再生装置    １  受信ユニット    ２  入力ユニット    ３  処理ユニット    ４  記憶ユニット    ５  出力ユニット    ３２  選択部    ３３  再生部。
【図１】
2006165728.tif 000004
【図２】
2006165728.tif 000005
【図３】
2006165728.tif 000006
【図４】
2006165728.tif 000007
【図５】
2006165728.tif 000008
【図６】
2006165728.tif 000009
【図７】
2006165728.tif 000010
【図８】
2006165728.tif 000011